(57)【要約】【課題】広告の対象に応じて効果的な広告文を簡単に作成する。【解決手段】入力部１２が、商品又はサービスに関する文書データの入力を受け付ける。抽出部１４が、入力された文書データから特徴語を抽出する。特定部１６が、特徴語に対応づけてフレーズを記憶する記憶部２０を参照して、抽出した特徴語に対応するフレーズを特定する。出力部１８が、特定したフレーズ、または、特定したフレーズのうち特定の部分を特徴語に設定したフレーズを出力する。【選択図】図１
2018120286.tif 000002
【特許請求の範囲】
【請求項１】
商品又はサービスに関する文書データの入力を受け付け、
入力された前記文書データから特徴語を抽出し、
特徴語に対応づけてフレーズを記憶する記憶部を参照して、抽出した前記特徴語に対応するフレーズを特定し、
特定した前記フレーズ、または、特定した前記フレーズのうち特定の部分を前記特徴語に設定したフレーズを出力する、
処理をコンピュータに実行させることを特徴とする広告作成支援プログラム。
【請求項２】
前記記憶部は、フレーズに対応づけてフレーズが適用された広告に対応する商品又はサービスの販売状況、又は、利用状況、又は、予約状況に基づいて算出された評価値を記憶し、
出力される前記フレーズは、対応する評価値に応じた優先順で出力される、
ことを特徴とする請求項１記載の広告作成支援プログラム。
【請求項３】
前記記憶部は、文字のフォント、文字のサイズ、文字の色の１又は複数の組み合わせである文字表現情報を更に記憶し、
出力される前記フレーズは、対応づけて記憶された文字表現情報に従って出力される、
ことを特徴とする請求項１記載の広告作成支援プログラム。
【請求項４】
前記記憶部は、フレーズの表示レイアウトを更に記憶し、
出力される前記フレーズは、対応づけて記憶された表示レイアウトで出力される、
ことを特徴とする請求項１記載の広告作成支援プログラム。
【請求項５】
図書の管理を行う図書システムから図書の貸し出し又は予約に関する利用情報を取得し、
取得した利用情報に基づいて、前記図書に対応づけて記憶部に記憶された広告又は広告の構成要素について評価値を算出し、
ある図書に関する新たな広告の作成に際して参照する広告又は参照する広告の構成要素を、前記評価値に基づいて前記記憶部から抽出する、
処理を実行することを特徴とする広告作成支援プログラム。
【請求項６】
前記参照する広告又は前記参照する広告の構成要素は、前記ある図書の紹介又は説明情報から抽出した特徴語に対応する属性に対応づけられて前記記憶部に記憶された広告又は広告の構成要素の中から抽出される、
ことを特徴とする請求項５記載の広告作成支援プログラム。
【請求項７】
前記広告の印刷タイミング、又は、掲載タイミングの情報を記憶し、
前記印刷タイミング又は掲載タイミングの前と後の図書の貸し出し又は予約の変化に応じて、前記広告についての評価値が算出される、
ことを特徴とする請求項５記載の広告作成支援プログラム。
【請求項８】
抽出された前記広告又は前記広告の構成要素を表示部に表示させ、
選択された広告又は前記広告の構成要素を編集処理対象として特定する、
ことを特徴とする請求項５記載の広告作成支援プログラム。
【請求項９】
編集処理対象として前記広告の構成要素が特定された場合に、レイアウトの選択を受け付け、
選択されたレイアウトで前記広告の構成要素を配置した広告の編集画面を生成する、
ことを特徴とする請求項８記載の広告作成支援プログラム。
【請求項１０】
商品又はサービスに関する文書データの入力を受け付ける入力部と、
入力された前記文書データから特徴語を抽出する抽出部と、
特徴語に対応づけてフレーズを記憶する記憶部を参照して、抽出した前記特徴語に対応するフレーズを特定する特定部と、
特定した前記フレーズ、または、特定した前記フレーズのうち特定の部分を前記特徴語に設定したフレーズを出力する出力部と、
を含むことを特徴とする広告作成支援装置。
【請求項１１】
図書の管理を行う図書システムから図書の貸し出し又は予約に関する利用情報を取得する取得部と、
取得した利用情報に基づいて、前記図書に対応づけて記憶部に記憶された広告又は広告の構成要素について評価値を算出する算出部と、
ある図書に関する新たな広告の作成に際して参照する広告又は参照する広告の構成要素を、前記評価値に基づいて前記記憶部から抽出する抽出部と、
を含むことを特徴とする広告作成支援装置。
【請求項１２】
商品又はサービスに関する文書データの入力を受け付け、
入力された前記文書データから特徴語を抽出し、
特徴語に対応づけてフレーズを記憶する記憶部を参照して、抽出した前記特徴語に対応するフレーズを特定し、
特定した前記フレーズ、または、特定した前記フレーズのうち特定の部分を前記特徴語に設定したフレーズを出力する、
処理をコンピュータに実行させることを特徴とする広告作成支援方法。
【請求項１３】
図書の管理を行う図書システムから図書の貸し出し又は予約に関する利用情報を取得し、
取得した利用情報に基づいて、前記図書に対応づけて記憶部に記憶された広告又は広告の構成要素について評価値を算出し、
ある図書に関する新たな広告の作成に際して参照する広告又は参照する広告の構成要素を、前記評価値に基づいて前記記憶部から抽出する、
処理を実行することを特徴とする広告作成支援方法。
【発明の詳細な説明】
【技術分野】
【０００１】
本発明は、広告作成支援プログラム、広告作成支援装置、及び広告作成支援方法に関する。
【背景技術】
【０００２】
近年、出版される新刊点数が増加している。しかし、ベストセラー本や人気作家の本ばかりが売れる状況であり、書店では売れない本との二極化が激しくなっている。それに伴い、図書館でも売れ筋の本に予約が集中してしまう事象が発生している。
【０００３】
一方、図書館等で図書を推薦する際に用いられる宣伝手法として、Point Of Purchase advertising（以下、ＰＯＰ広告という。）という手法がある。このＰＯＰ広告は、図書の内容紹介やキャッチコピー、職員によるイラストが記載されただけの単純な広告であるが、雰囲気作りにも優れた重要な宣伝手法である。
【０００４】
図書のＰＯＰ広告を提示する技術として、例えば、図書のＰＯＰ広告を示す提示用データを予め保持し、撮像画像から検出される人物の年齢や性別等に応じて、当該人物に適した提示用データを提示させる技術が提案されている。
【先行技術文献】
【特許文献】
【０００５】
【特許文献１】特開２０１１−９５９０６号公報
【発明の概要】
【発明が解決しようとする課題】
【０００６】
ところで、売れ筋だけではない様々な図書との出会いをサポートすることも図書館の役割の一つである。ＰＯＰ広告により図書を紹介することで、図書館における売れ筋図書への予約集中を緩和し、利用者の本選びを支援することもできる。
【０００７】
しかしながら、効果の高いＰＯＰ広告を作成するためには、広告作成作業を担当する作業担当者が図書を読み、内容を考える作業が必要となる。また、文章だけでなく見栄えも整える必要があり、作業担当者にとって大きな負担となる。
【０００８】
本発明は、一つの側面として、広告の対象に応じて効果的な広告文を簡単に作成することを目的とする。
【課題を解決するための手段】
【０００９】
一つの態様として、商品又はサービスに関する文書データの入力を受け付ける。また、入力された前記文書データから特徴語を抽出する。そして、特徴語に対応づけてフレーズを記憶する記憶部を参照して、抽出した前記特徴語に対応するフレーズを特定する。さらに、特定した前記フレーズ、または、特定した前記フレーズのうち特定の部分を前記特徴語に設定したフレーズを出力する。
【００１０】
別の態様として、図書の管理を行う図書システムから図書の貸し出し又は予約に関する利用情報を取得する。また、取得した利用情報に基づいて、前記図書に対応づけて記憶部に記憶された広告又は広告の構成要素について評価値を算出する。そして、ある図書に関する新たな広告の作成に際して参照する広告又は参照する広告の構成要素を、前記評価値に基づいて前記記憶部から抽出する。
【発明の効果】
【００１１】
一つの側面として、広告の対象に応じて効果的な広告文を簡単に作成することができる。
【図面の簡単な説明】
【００１２】
【図１】第１の実施形態に係る広告作成支援装置及び図書システムを含む広告作成支援システムの構成の一例を示すブロック図である。
【図２】実施形態に係るテンプレート文ＤＢの構成の一例を示す模式図である。
【図３】実施形態に係る文章ＤＢの構成の一例を示す模式図である。
【図４】実施形態に係るフォントＤＢの構成の一例を示す模式図である。
【図５】実施形態に係る文字色ＤＢの構成の一例を示す模式図である。
【図６】実施形態に係る枠形ＤＢの構成の一例を示す模式図である。
【図７】実施形態に係る画像ＤＢの構成の一例を示す模式図である。
【図８】実施形態に係るレイアウト部品ＤＢの構成の一例を示す模式図である。
【図９】実施形態に係るＰＯＰ格納ＤＢの構成の一例を示す模式図である。
【図１０】実施形態に係るＰＯＰ評価ＤＢの構成の一例を示す模式図である。
【図１１】第１の実施形態に係る広告作成支援装置として機能するコンピュータの構成の一例を示すブロック図である。
【図１２】第１の実施形態に係る広告作成支援プログラムの処理の流れの一例を示すフローチャートである。
【図１３】実施形態に係る図書選択画面の一例を示す正面図である。
【図１４】実施形態に係る図書の内容紹介を表示した場合の一例を示す模式図である。
【図１５】実施形態に係る図書の内容紹介を形態素解析して得られた結果の一例を示す模式図である。
【図１６】実施形態に係るテンプレート文ＤＢからテンプレート文群を取得する処理の概要を示す模式図である。
【図１７】実施形態に係る文章選択画面の一例を示す正面図である。
【図１８】実施形態に係るフォントＤＢ、文字色ＤＢ、枠形ＤＢ、及び画像ＤＢからフォント、文字色、枠形、及び画像を取得し、レイアウト部品ＤＢからレイアウトを取得する処理の概要を示す模式図である。
【図１９】実施形態に係るレイアウト選択画面の一例を示す正面図である。
【図２０】実施形態に係るＰＯＰ広告編集画面の一例を示す正面図である。
【図２１】第２の実施形態に係る広告作成支援装置及び図書システムを含む広告作成支援システムの構成の一例を示すブロック図である。
【図２２】実施形態に係る貸出ＤＢの構成の一例を示す模式図である。
【図２３】実施形態に係る予約ＤＢの構成の一例を示す模式図である。
【図２４】実施形態に係る販売ＤＢの構成の一例を示す模式図である。
【図２５】第２の実施形態に係る広告作成支援装置として機能するコンピュータの構成の一例を示すブロック図である。
【図２６】第２の実施形態に係る広告作成支援プログラムの処理の流れの一例を示すフローチャートである。
【図２７】第２の実施形態に係る広告作成支援装置による処理の流れの一例を示す模式図である。
【発明を実施するための形態】
【００１３】
以下、図面を参照して本発明に係る実施形態の一例を詳細に説明する。
【００１４】
[第１の実施形態]
図１は、第１の実施形態に係る広告作成支援装置１０Ａ及び図書システム３０を含む広告作成支援システムの構成の一例を示すブロック図である。
【００１５】
図１に示すように、本実施形態に係る広告作成支援装置１０Ａは、インターネット等のネットワークＮを介して図書システム３０と接続される。広告作成支援装置１０Ａは、例えば、サーバ装置やパーソナルコンピュータ等の情報処理装置により実現される。図書システム３０は、図書館又は書店等に設置され、図書の管理を行うサーバ装置等の情報処理装置により実現される。
【００１６】
本実施形態に係る広告作成支援装置１０Ａは、広告の一例であるＰＯＰ広告の作成を支援する装置であり、作業担当者との対話形式でＰＯＰ広告を作成するためのユーザーインターフェース（以下、ＵＩという。）を備える。なお、本実施形態では、ＰＯＰ広告の対象として、図書を例示して説明するが、本実施形態に係る広告作成支援装置１０Ａは、ＰＯＰ広告の対象となり得る商品やサービス全般に対して適用可能である。
【００１７】
広告作成支援装置１０Ａは、機能的には、入力部１２と、抽出部１４と、特定部１６と、出力部１８と、を含む。広告作成支援装置１０Ａは、さらに、本実施形態に係る各種のデータベース（以下、ＤＢという。）を記憶する記憶部２０と、液晶ディスプレイや有機Electro Luminescence(ＥＬ)ディスプレイ等の表示部２２と、を含む。
【００１８】
入力部１２は、図書に関する文書データの入力を受け付ける。ここでいう文書データには、例えば、図書システム３０から提供される、図書の内容を紹介する内容紹介文を示すデータや、図書の内容のあらすじを示すデータ、図書のタイトルを示すデータ、図書の著者名を示すデータ等が含まれる。なお、図書システム３０からは、これらの内容紹介文やあらすじ、タイトル、著者名等の文書データ以外に、図書のジャンルを示すデータも提供される。ここでいうジャンルとは、例えば、小説や、実用書、ビジネス書、漫画等の図書の種別を意味する。
【００１９】
抽出部１４は、入力部１２により入力を受け付けた文書データから特徴語（以下、キーワードという。）を抽出する。具体的には、例えば、文書データを形態素解析して、出現頻度の高い１つ以上の単語をキーワードとして抽出する。なお、複数の単語を含む単語列をキーワードとして抽出してもよい。
【００２０】
記憶部２０には、予め定められたキーワードに対応付けて、フレーズの一例としてのテンプレート文を格納したテンプレート文ＤＢ２０Ａが記憶されている。そして、特定部１６は、テンプレート文ＤＢ２０Ａを参照して、抽出部１４により抽出したキーワードに対応するテンプレート文を特定する。
【００２１】
出力部１８は、特定部１６により特定したテンプレート文、又は、特定部１６により特定したテンプレート文のうち特定の部分をキーワードに設定したテンプレート文を出力する。このテンプレート文の出力先は、例えば、表示部２２である。つまり、表示部２２には、テンプレート文、又は、テンプレート文の特定の部分がキーワードで置換されたテンプレート文が表示される。
【００２２】
本実施形態によれば、作業担当者が、広告作成支援装置１０Ａに対して、ＰＯＰ広告の対象とする図書に関する文書データを入力する操作を行うだけで、当該図書に合ったテンプレート文がＰＯＰ広告に使用する広告文の候補として表示部２２に表示される。そして、作業担当者は、表示部２２に表示されたテンプレート文をそのまま、又は、一部修正することで、効果的なＰＯＰ広告を簡単に作成することができる。
【００２３】
以下、図２〜図１０を参照して、本実施形態に係る記憶部２０に記憶されている各種ＤＢについて説明する。
【００２４】
記憶部２０には、上述のテンプレート文ＤＢ２０Ａと、更に文章ＤＢ２０Ｂと、が記憶される。
【００２５】
図２は、本実施形態に係るテンプレート文ＤＢ２０Ａの構成の一例を示す模式図である。
図２に示すように、テンプレート文ＤＢ２０Ａでは、異なる複数のテンプレート文の各々に割り当てられた固有の識別情報としてのテンプレートＩＤ毎に、パターン、ジャンル、及び対象キーワードが予め対応付けられている。なお、ＩＤとは、Identificationの略語である。
【００２６】
特定部１６は、抽出部１４により抽出されたキーワードに基づいて、テンプレート文ＤＢ２０Ａを検索し、当該キーワードに対応するテンプレート文のテンプレートＩＤを特定する。なお、図書のジャンルによるテンプレート文の検索も可能である。また、パターンとは、対応するテンプレート文をＰＯＰ広告に利用する場合の利用パターンを示す。例えば、パターンが「見出し」のテンプレート文は、ＰＯＰ広告の見出しとして利用されることを意味する。
【００２７】
ここで、例えば、「００１」のテンプレートＩＤで表される「全ての○○○ファンに捧げる一冊！」というテンプレート文の場合、対象キーワードとして[著者]が対応付けられている。この場合、著者を属性として持つキーワードが対象とされる。著者を属性として持つキーワードの一例として、「芥川龍之介／著」等が挙げられる。この場合、「／著」が著者属性を示し、キーワードとして、「芥川龍之介」が抽出され、「００１」のテンプレート文が特定される。なお、[ ]内の単語は、キーワードの属性を表す単語である。例えば、[ジャンル]であれば、ジャンルを属性として持つキーワードが対象とされ、[アーティスト名]であれば、アーティスト名を属性として持つキーワードが対象とされる。
【００２８】
図３は、本実施形態に係る文章ＤＢ２０Ｂの構成の一例を示す模式図である。
図３に示すように、文章ＤＢ２０Ｂには、異なる複数の生成文章の各々に割り当てられた固有の文章ＩＤ毎に、図書ＩＤ、テンプレートＩＤ、置換キーワード、及び修正有無が対応付けられている。なお、図書ＩＤとは、各図書を識別するための識別情報であり、各図書に予め割り当てられている。
【００２９】
文章ＤＢ２０Ｂには、特定部１６により特定されたテンプレートＩＤに対応付けて、抽出部１４により抽出されたキーワードが置換キーワードとして格納される。
【００３０】
この場合、出力部１８は、特定されたテンプレートＩＤで表されるテンプレート文の特定の部分を、置換キーワードで置き換えて表示部２２に表示させる。一例として、「００１」の文章ＩＤで表される生成文章の場合、「全ての○○○ファンに捧げる一冊！」というテンプレート文の「○○○」の部分が、「芥川龍之介」というキーワードで置換される。置換の結果、表示部２２には、「全ての芥川龍之介ファンに捧げる一冊！」というテンプレート文が表示される。
【００３１】
なお、作業担当者が表示部２２に表示されたテンプレート文をそのまま利用する場合には、修正有無の項目が「無」に設定される。一方、作業担当者が表示部２２に表示されたテンプレート文の一部を修正した場合には、修正有無の項目が「有」に設定され、修正後の文章が生成文章として格納される。
【００３２】
そして更に、記憶部２０には、フォントＤＢ２０Ｃと、文字色ＤＢ２０Ｄと、枠形ＤＢ２０Ｅと、画像ＤＢ２０Ｆと、レイアウト部品ＤＢ２０Ｇと、が記憶される。つまり、記憶部２０には、テンプレート文に対応付けて、文字のフォント、文字のサイズ、文字の色の１又は複数の組み合わせである文字表現情報と、表示レイアウトに関する情報と、が記憶される。
【００３３】
この場合、出力部１８は、特定部１６により特定されたテンプレート文を、文字表現情報に従って出力する。そして、出力部１８は、特定部１６により特定されたテンプレート文を、表示レイアウトに関する情報に従って出力する。
【００３４】
図４は、本実施形態に係るフォントＤＢ２０Ｃの構成の一例を示す模式図である。
図４に示すように、フォントＤＢ２０Ｃには、異なる複数のフォントの各々に割り当てられた固有のフォントＩＤ毎に、対象及びジャンルが予め対応付けられている。この文字のフォントは、文字表現情報の一例である。この例の場合、ジャンルが検索キーとなるが、キーワード、又は、ジャンル及びキーワードの両方を検索キーとしてもよい。
【００３５】
図５は、本実施形態に係る文字色ＤＢ２０Ｄの構成の一例を示す模式図である。
図５に示すように、文字色ＤＢ２０Ｄには、異なる複数の文字色の各々に割り当てられた固有の文字色ＩＤ毎に、ジャンル及びキーワードが予め対応付けられている。この文字色は、文字表現情報の一例である。この例の場合、ジャンル及びキーワードの少なくとも一方が検索キーとなる。
【００３６】
図６は、本実施形態に係る枠形ＤＢ２０Ｅの構成の一例を示す模式図である。
図６に示すように、枠形ＤＢ２０Ｅには、異なる複数の枠形の各々に割り当てられた固有の枠形ＩＤ毎に、ジャンル及びキーワードが予め対応付けられている。この例の場合、ジャンル及びキーワードの少なくとも一方が検索キーとなる。
【００３７】
なお、ここでいう枠形とは、テンプレート文の周りを囲む枠の形状を意味する。枠形ＤＢ２０Ｅには、例えば、吹き出し、角丸四角形、ギザギザ等の様々な形状の枠が格納されている。
【００３８】
図７は、本実施形態に係る画像ＤＢ２０Ｆの構成の一例を示す模式図である。
図７に示すように、画像ＤＢ２０Ｆには、異なる複数の画像の各々に割り当てられた固有の画像ＩＤ毎に、キーワードが予め対応付けられている。この例の場合、キーワードが検索キーとなる。
【００３９】
なお、ここでいう画像とは、テンプレート文と共に表示させる画像を意味する。画像ＤＢ２０Ｆには、キーワードに合った様々な画像が格納されている。
【００４０】
図８は、本実施形態に係るレイアウト部品ＤＢ２０Ｇの構成の一例を示す模式図である。
図８に示すように、レイアウト部品ＤＢ２０Ｇには、異なる複数のレイアウト部品の各々に割り当てられた固有のレイアウトＩＤ毎に、フォントＩＤ、文字色ＩＤ、及び文字サイズが対応付けられている。レイアウト部品ＤＢ２０Ｇには、更に、レイアウトＩＤ毎に、枠形ＩＤ、枠形枠線色、枠形背景色、枠形座標、画像ＩＤ、及び画像座標が対応付けられている。これらの枠形座標及び画像座標は、表示レイアウトに関する情報の一例である。この例の場合、フォントＩＤ、文字色ＩＤ、枠形ＩＤ、及び画像ＩＤの組み合わせが検索キーとなる。
【００４１】
ここで、ＰＯＰ広告は、１つ以上のレイアウト部品を含む。ここでいうレイアウト部品とは、テンプレート文、枠形、及び画像を組み合わせたものを意味する。なお、レイアウト部品としては、テンプレート文のみでもよく、テンプレート文及び枠形の組み合わせでもよく、テンプレート文及び画像を組み合わせでもよい。レイアウト部品ＤＢ２０Ｇには、フォントＩＤ、文字色ＩＤ、枠形ＩＤ、及び画像ＩＤの組み合わせに応じて、文字サイズ、枠形枠線色、枠形背景色、枠形座標、及び画像座標が格納されている。
【００４２】
そして更に、記憶部２０には、ＰＯＰ格納ＤＢ２０Ｈと、ＰＯＰ評価ＤＢ２０Ｉと、が記憶される。つまり、記憶部２０には、テンプレート文に対応付けて、評価値が記憶されている。ここでいう評価値とは、テンプレート文が適用されたＰＯＰ広告に対応する図書の利用状況（この例では貸出状況）及び予約状況の少なくとも一方に基づいて算出される値である。なお、この評価値は、図書館の場合の例であるが、書店の場合の評価値は、図書の販売状況に基づいて算出される値となる。
【００４３】
図９は、本実施形態に係るＰＯＰ格納ＤＢ２０Ｈの構成の一例を示す模式図である。
図９に示すように、ＰＯＰ格納ＤＢ２０Ｈには、異なる複数のＰＯＰ広告の各々に割り当てられた固有のＰＯＰＩＤ毎に、図書ＩＤ、文章ＩＤ、レイアウトＩＤ、評価値、掲載期間、及びキーワードが対応付けられている。各ＰＯＰ広告に含まれるレイアウト部品の数だけ、文章ＩＤ及びレイアウトＩＤが記憶される。ここでいう評価値は、ＰＯＰ広告を予め定められた掲載期間広告として掲載し、広告効果が高いと評価されたものほど高い値が付与される。なお、この評価値の具体的な算出方法については後述する。
【００４４】
図１０は、本実施形態に係るＰＯＰ評価ＤＢ２０Ｉの構成の一例を示す模式図である。
図１０に示すように、ＰＯＰ評価ＤＢ２０Ｉには、異なる複数のＰＯＰ広告の各々に割り当てられた固有のＰＯＰＩＤ毎に、効果、評価値／評価平均値、及びキーワードが対応付けられている。この例の場合、評価値／評価平均値が第１閾値（例えば、１．５）以上のＰＯＰ広告は、効果の項目が「あり」に設定され、評価値／評価平均値が第２閾値（例えば、０．５）以下のＰＯＰ広告は、効果の項目が「なし」に設定される。なお、ここでいう評価平均値とは、ＰＯＰ広告全体の評価値の平均値を表すものとする。
【００４５】
この場合、出力部１８は、特定部１６により特定されたテンプレート文を、評価値に応じた優先順で出力する。つまり、出力部１８は、特定部１６により特定された各テンプレート文についてＰＯＰ評価ＤＢ２０Ｉ（及びＰＯＰ格納ＤＢ２０Ｈ）を参照し、評価値の高いＰＯＰ広告に使用されているテンプレート文を優先的に出力する。
【００４６】
図１１は、本第１の実施形態に係る広告作成支援装置１０Ａとして機能するコンピュータ４０Ａの構成の一例を示すブロック図である。
【００４７】
広告作成支援装置１０Ａは、例えば、図１１に示すコンピュータ４０Ａで実現することができる。コンピュータ４０Ａは、Central Processing Unit（ＣＰＵ）４１と、一時記憶領域としてのメモリ４２と、不揮発性の記憶部４３とを備える。また、コンピュータ４０Ａは、入出力装置４４と、記憶媒体４８に対するデータの読み込み及び書き込みを制御するRead/Write（Ｒ／Ｗ）部４５と、インターネット等のネットワークに接続される通信インターフェース（Ｉ／Ｆ）４６とを備える。ＣＰＵ４１、メモリ４２、記憶部４３、入出力装置４４、Ｒ／Ｗ部４５、及び通信Ｉ／Ｆ４６は、バス４７を介して互いに接続される。
【００４８】
記憶部４３は、上述の図１に示す記憶部２０に相当し、Hard Disk Drive（ＨＤＤ）、Solid State Drive（ＳＳＤ）、フラッシュメモリ等によって実現できる。記憶媒体としての記憶部４３には、コンピュータ４０Ａを広告作成支援装置１０Ａとして機能させるための広告作成支援プログラム５０Ａが記憶される。
【００４９】
広告作成支援プログラム５０Ａは、入力プロセス５２と、抽出プロセス５４と、特定プロセス５６と、出力プロセス５８とを有する。
【００５０】
ＣＰＵ４１は、広告作成支援プログラム５０Ａを記憶部４３から読み出してメモリ４２に展開し、広告作成支援プログラム５０Ａが有するプロセスを順次実行する。ＣＰＵ４１は、入力プロセス５２を実行することで、図１に示す入力部１２として動作する。また、ＣＰＵ４１は、抽出プロセス５４を実行することで、図１に示す抽出部１４として動作する。また、ＣＰＵ４１は、特定プロセス５６を実行することで、図１に示す特定部１６として動作する。また、ＣＰＵ４１は、出力プロセス５８を実行することで、図１に示す出力部１８として動作する。これにより、広告作成支援プログラム５０Ａを実行したコンピュータ４０Ａが、広告作成支援装置１０Ａとして機能することになる。なお、コンピュータ４０Ａが広告作成支援プログラム５０Ａを実行することにより機能する部分は、広告作成支援装置１０Ａに相当する。この例の場合、広告作成支援プログラム５０Ａを実行するＣＰＵ４１は、ハードウェアである。
【００５１】
なお、広告作成支援プログラム５０Ａにより実現される機能は、例えば、半導体集積回路、より詳しくは、Application Specific Integrated Circuit（ＡＳＩＣ）等で実現することも可能である。
【００５２】
次に、図１２を参照して、本第１の実施形態に係る広告作成支援装置１０Ａの作用を説明する。なお、図１２は、本第１の実施形態に係る広告作成支援プログラム５０Ａの処理の流れの一例を示すフローチャートである。また、図１３は、本実施形態に係る図書選択画面６０の一例を示す正面図である。
【００５３】
まず、作業担当者により広告作成支援プログラム５０Ａの実行が指示されると、図１３に示すように、入力部１２が、図書システム３０から取得される複数の図書のリストを図書選択画面６０として表示部２２に表示させる。ここでいう図書のリストとは、図書システム３０に登録されている図書のリストであり、図書選択画面６０は、広告作成支援プログラム５０Ａによる処理の初期画面として表示される。
【００５４】
図１２のステップ１００では、入力部１２が、図書システム３０から、ＰＯＰ広告の対象とする図書の内容紹介を示すデータを取得する。具体的には、作業担当者が図書選択画面６０から所望の図書を選択すると、入力部１２が、選択した図書の内容紹介を図書システム３０から取得する。ここでは、一例として、（Ｂ１）の「杜子春 芥川龍之介／著」が選択され、「杜子春 芥川龍之介／著」の内容紹介が取得される。
【００５５】
図１４は、本実施形態に係る図書の内容紹介６１を表示した場合の一例を示す模式図である。
図１４に示すように、上記で選択、取得された「杜子春 芥川龍之介／著」の内容紹介６１が表示部２２に表示される。
【００５６】
次に、ステップ１０２では、抽出部１４が、ステップ１００で入力部１２により取得した内容紹介６１に含まれる複数の単語をキーワード群として抽出する。
【００５７】
図１５は、本実施形態に係る図書の内容紹介６１を形態素解析して得られた結果の一例を示す模式図である。
抽出部１４は、内容紹介６１に対して形態素解析を行い、形態素解析により得られた結果から、例えば、出現頻度の高い複数の単語をキーワード群として抽出する。この例の場合、形態素解析の結果から助詞及び句読点を除き、名詞、動詞、及び形容詞のいずれかを品詞に持つ複数の単語が抽出される。そして、抽出した複数の単語の各々に対して出現頻度を示す出現頻度情報が付与される。また、内容紹介６１から特徴的な単語又は単語列をキーフレーズとして抽出してもよい。このキーフレーズの抽出には、公知の方法が採用され、重要度の高い特徴的な単語又は単語列ほど、高いスコアが付与される。なお、この例では、単語について示しているが、複数の単語を含む単語列（例えば、「怒涛の推理シーン」等）をキーワードとして抽出することも可能である。
【００５８】
次に、ステップ１０４では、特定部１６が、ステップ１０２で抽出部１４により抽出されたキーワード群を用いて、テンプレート文ＤＢ２０Ａを検索し、テンプレート文ＤＢ２０Ａから、キーワード群に合ったテンプレート文群の情報を取得する。なお、図書の内容紹介６１と共に、図書のジャンルが取得されている場合には、ジャンルが合致するテンプレート文の情報を、テンプレート文ＤＢ２０Ａから取得してもよい。
【００５９】
図１６は、本実施形態に係るテンプレート文ＤＢ２０Ａからテンプレート文群６３を取得する処理の概要を示す模式図である。
【００６０】
図１６に示すように、キーワード群６２として、例えば、「老人」、「原典」、「大金」、及び「教育教材」が抽出された場合、テンプレート文ＤＢ２０Ａから、キーワード群６２に応じたテンプレート文群６３が取得される。ここで、キーワード群６２により、ＰＯＰ評価ＤＢ２０Ｉ（及びＰＯＰ格納ＤＢ２０Ｈ）を検索し、評価値の高いＰＯＰ広告に使用されているテンプレート文群６３を優先的に取得してもよい。
【００６１】
次に、ステップ１０６では、出力部１８が、ステップ１０４で特定部１６により特定されたテンプレート文の一部を、当該テンプレート文に対応するキーワードで置換したテンプレート文を、ＰＯＰ広告に使用する文章の候補として、表示部２２に表示させる。なお、出力部１８は、特定部１６により特定されたテンプレート文そのものを、ＰＯＰ広告に使用する文章の候補として、表示部２２に表示させてもよい。ここで、ステップ１０４にて、ジャンルが合致するテンプレート文が取得され、取得されたテンプレート文にキーワードが対応付けられている場合、当該テンプレート文の一部がキーワードで置換されたテンプレート文が表示される。一方、取得されたテンプレート文にキーワードが対応付けられていない場合、テンプレート文の一部はキーワードで置換されず、そのまま表示される。
【００６２】
図１７は、本実施形態に係る文章選択画面６４の一例を示す正面図である。
図１７に示すように、出力部１８は、文章候補のリストを文章選択画面６４として表示部２２に表示させる。なお、評価値の高い文章候補を優先的に表示させ、評価値の低い文章候補は非表示としてもよい。また、評価値の高い文章候補には、作業担当者が一見して分かるように、「オススメ！」等のコーション６４Ａを付しておくことが望ましい。図１７の例において、（Ｐ１）〜（Ｐ５）の文章候補は、一部がキーワードで置換されたテンプレート文を示し、（Ｐ６）の文章候補は、キーワードで置換されていないテンプレート文を示す。
【００６３】
次に、ステップ１０８では、出力部１８が、文章選択画面６４に表示されている文章候補の中に有用な文章が有るか否かを判定する。有用な文章が無いと判定した場合（否定判定の場合）、ステップ１１０に移行する。一方、有用な文章が有ると判定した場合（肯定判定の場合）、ステップ１１２に移行する。例えば、表示中の文章候補の中から作業担当者により所望の文章が選択されたことを検知した場合、有用な文章有りと判定する。図１７の例では、ＰＯＰ広告に使用する有用な文章として、（Ｐ５）及び（Ｐ６）の文章候補が選択される。一方、作業担当者により表示中の文章候補の修正が指示された場合には、有用な文章無しと判定する。なお、文章選択画面６４には、表示中の文章候補の修正指示を受け付けるためのボタンが設けられているが、ここでの図示は省略する。
【００６４】
ステップ１１０では、作業担当者が、図１７に示す文章選択画面６４に表示中のいずれかの文章候補を画面上で修正することで、ＰＯＰ広告に使用する文章を作成する。なお、この段階で、ＰＯＰ広告に使用する文章を新規に作成してもよい。その後、ステップ１１２に移行する。
【００６５】
次に、ステップ１１２では、特定部１６が、抽出部１４により抽出されたキーワード群６２を用いて、文字色ＤＢ２０Ｄ、枠形ＤＢ２０Ｅ、及び画像ＤＢ２０Ｆを検索する。なお、フォントＤＢ２０Ｃは、キーワードではなく、ジャンルを検索キーとしているため、ジャンルにより検索される。検索の結果、各ＤＢから、ジャンルに合ったフォント、キーワード群６２に合った文字色、枠形、及び画像の情報を取得する。なお、図書の内容紹介６１と共に、図書のジャンルが取得されている場合には、ジャンルが合致する文字色、枠形、及び画像の情報を、各ＤＢから取得してもよい。そして、特定部１６は、取得したフォント、文字色、枠形、及び画像の情報を用いて、レイアウト部品ＤＢ２０Ｇを検索し、レイアウト部品ＤＢ２０Ｇから、キーワード群６２に合ったレイアウト群の情報を取得する。
【００６６】
図１８は、本実施形態に係るフォントＤＢ２０Ｃ、文字色ＤＢ２０Ｄ、枠形ＤＢ２０Ｅ、及び画像ＤＢ２０Ｆからフォント、文字色、枠形、及び画像を取得し、レイアウト部品ＤＢ２０Ｇからレイアウトを取得する処理の概要を示す模式図である。
【００６７】
図１８に示すように、キーワード群６２として、例えば、「老人」及び「教育教材」が抽出された場合、文字色ＤＢ２０Ｄ、枠形ＤＢ２０Ｅ、及び画像ＤＢ２０Ｆから、キーワード群６２に応じた文字色、及び枠形が取得される。なお、この例では、画像ＤＢ２０Ｆからキーワード群６２に合った画像が検索されなかったため、画像は取得されない。また、この例では、ジャンルとして、「小説」が取得されており、フォントＤＢ２０Ｃから、ジャンルに応じたフォントが取得される。そして、取得されたフォント、文字色、及び枠形に応じたレイアウト群が、レイアウト部品ＤＢ２０Ｇから取得される。なお、キーワード群６２に代えて、使用するテンプレート文、タイトル等を用いて、ＰＯＰ評価ＤＢ２０Ｉ（及びＰＯＰ格納ＤＢ２０Ｈ）を検索し、評価値の高いＰＯＰ広告に使用されているレイアウト群を優先的に取得してもよい。例えば、使用するテンプレート文を用いて検索する場合、使用するテンプレート文のテンプレート文ＩＤに対応する文章ＩＤを検索キーとして、ＰＯＰ評価ＤＢ２０Ｉ（及びＰＯＰ格納ＤＢ２０Ｈ）から評価の高いレイアウト群を取得すればよい。また、タイトルを用いて検索する場合、タイトルに対応する図書ＩＤを検索キーとして、ＰＯＰ評価ＤＢ２０Ｉ（及びＰＯＰ格納ＤＢ２０Ｈ）から評価の高いレイアウト群を取得すればよい。
【００６８】
次に、ステップ１１４では、出力部１８が、特定部１６により取得されたレイアウト群の情報を、ＰＯＰ広告に使用する複数のレイアウト候補として、表示部２２に表示させる。
【００６９】
図１９は、本実施形態に係るレイアウト選択画面６６の一例を示す正面図である。
図１９に示すように、出力部１８は、複数のレイアウト候補を含むレイアウト選択画面６６を表示部２２に表示させる。なお、評価値の高いレイアウト候補を優先的に表示させ、評価値の低いレイアウト候補は非表示としてもよい。また、評価値の高いレイアウト候補には、作業担当者が一見して分かるように、「オススメ！」等のコーション６６Ａを付しておくことが望ましい。
【００７０】
次に、ステップ１１６では、出力部１８が、レイアウト選択画面６６に表示されているレイアウト候補の中に有用なレイアウトが有るか否かを判定する。有用なレイアウトが無いと判定した場合（否定判定の場合）、ステップ１１８に移行する。一方、有用なレイアウトが有ると判定した場合（肯定判定の場合）、ステップ１２０に移行する。例えば、表示中のレイアウト候補の中から作業担当者により所望のレイアウトが選択されたことを検知した場合、有用なレイアウト有りと判定する。図１９の例では、ＰＯＰ広告に使用する有用なレイアウトとして、（Ａ）のレイアウトが選択される。一方、作業担当者により表示中のレイアウト候補の修正が指示された場合には、有用なレイアウト無しと判定する。なお、レイアウト選択画面６６には、表示中のレイアウト候補の修正指示を受け付けるためのボタンが設けられているが、ここでの図示は省略する。
【００７１】
ステップ１１８では、作業担当者が、図１９に示すレイアウト選択画面６６に表示中のいずれかのレイアウト候補を画面上で修正することで、ＰＯＰ広告に使用するレイアウトを作成する。なお、この段階で、ＰＯＰ広告に使用するレイアウトを新規に作成してもよい。その後、ステップ１２０に移行する。
【００７２】
次に、ステップ１２０では、出力部１８が、文章選択画面６４にて選択された文章、及び、レイアウト選択画面６６にて選択されたレイアウトを用いてＰＯＰ広告を生成、出力し、編集可能な状態で表示部２２に表示させる。
【００７３】
図２０は、本実施形態に係るＰＯＰ広告編集画面６７の一例を示す正面図である。
図２０に示すように、出力部１８は、ＰＯＰ広告を編集可能なＰＯＰ広告編集画面６７を表示部２２に表示させる。ＰＯＰ広告編集画面６７におけるＰＯＰ広告は、第１部品６７Ａ、第２部品６７Ｂ、第３部品６７Ｃ、及び第４部品６７Ｄを含む。第４部品６７Ｄは、図１７に示す（Ｐ５）及び（Ｐ６）の各々の文章と、図１９に示す（Ａ）のレイアウトと、を組み合わせた部品である。なお、第２部品６７Ｂは、第４部品６７Ｄと同様の方法により得ることができる。また、第１部品６７Ａ及び第３部品６７Ｃの各々は、図１４に示す内容紹介６１の情報をそのまま、又は、一部修正して得られる部品であるが、これらの部品についてもＰＯＰ広告に含めることができる。
【００７４】
ＰＯＰ広告編集画面６７では、作業担当者によりＰＯＰ広告を構成する部品毎に、例えば、拡大、縮小、回転、配置の変更、テキストの変更等の編集が可能である。編集後のＰＯＰ広告は、ＰＯＰ格納ＤＢ２０Ｈに格納されると共に、印刷して広告掲載に使用される。この場合、対話型のＵＩを用いて、部品を選択、編集するだけでＰＯＰ広告が作成される。なお、ＰＯＰ広告を編集しない場合も、同様に、ＰＯＰ格納ＤＢ２０Ｈに格納されると共に、印刷して広告掲載に使用される。
【００７５】
以上説明したように、本実施形態に係る広告作成支援装置によれば、図書のあらすじや内容紹介等の情報を入力するだけで、ＰＯＰ広告に使用する文章やレイアウトを簡単に作成することができ、ＰＯＰ広告を作成する作業担当者の負担を軽減することができる。
【００７６】
[第２の実施形態]
図２１は、第２の実施形態に係る広告作成支援装置１０Ｂ及び図書システム３０を含む広告作成支援システムの構成の一例を示すブロック図である。
【００７７】
図２１に示すように、本実施形態に係る広告作成支援装置１０Ｂは、インターネット等のネットワークＮを介して図書システム３０と接続される。
【００７８】
広告作成支援装置１０Ｂは、機能的には、取得部１３と、算出部１５と、抽出部１７と、特定部１９と、を含む。なお、本実施形態に係る記憶部２０の構成は、第１の実施形態に係る記憶部２０の構成と同様であるため、繰り返しの説明は省略する。
【００７９】
本実施形態に係る図書システム３０は、貸出ＤＢ３０Ａと、予約ＤＢ３０Ｂと、販売ＤＢ３０Ｃと、を含む。図書館の図書を管理する場合、貸出ＤＢ３０Ａ及び予約ＤＢ３０Ｂの少なくとも一方が使用される。一方、書店の図書を管理する場合、販売ＤＢ３０Ｃが使用される。
【００８０】
図２２は、本実施形態に係る貸出ＤＢ３０Ａの構成の一例を示す模式図である。
図２２に示すように、貸出ＤＢ３０Ａには、貸出のＩＤ毎に、図書ＩＤ、利用者ＩＤ、貸出日、及び返却日が対応付けられている。
【００８１】
図２３は、本実施形態に係る予約ＤＢ３０Ｂの構成の一例を示す模式図である。
図２３に示すように、予約ＤＢ３０Ｂには、予約のＩＤ毎に、図書ＩＤ、利用者ＩＤ、及び予約日が対応付けられている。
【００８２】
図２４は、本実施形態に係る販売ＤＢ３０Ｃの構成の一例を示す模式図である。
図２４に示すように、販売ＤＢ３０Ｃには、販売のＩＤ毎に、図書ＩＤ、ユーザＩＤ、及び販売日が対応付けられている。
【００８３】
以下、図２１の例において、貸出ＤＢ３０Ａ及び予約ＤＢ３０Ｂを使用する場合について説明するが、いずれか一方のＤＢを選択的に使用する場合についても同様である。
【００８４】
取得部１３は、貸出ＤＢ３０Ａから図書の貸出に関する利用情報を取得する。図書の貸出に関する利用情報とは、当該図書のＰＯＰ広告を掲載する前後の期間の各々における図書の貸出数を示す情報である。また、取得部１３は、予約ＤＢ３０Ｂから図書の予約に関する利用情報を取得する。図書の予約に関する利用情報とは、当該図書のＰＯＰ広告を掲載する前後の期間の各々における図書の予約数を示す情報である。
【００８５】
つまり、取得部１３は、貸出ＤＢ３０Ａから、図書のＰＯＰ広告を掲載した掲載期間に図書が貸し出された貸出数と、図書のＰＯＰ広告を掲載していない非掲載期間に図書が貸し出された貸出数と、を取得する。同様に、取得部１３は、予約ＤＢ３０Ｂから、図書のＰＯＰ広告を掲載した掲載期間に図書が予約された予約数と、図書のＰＯＰ広告を掲載していない非掲載期間に図書が予約された予約数と、を取得する。なお、ＰＯＰ広告の掲載期間は、ＰＯＰ格納ＤＢ２０Ｈに記憶されている。
【００８６】
算出部１５は、取得した利用情報、すなわち、ＰＯＰ広告を掲載する前後の期間の各々における図書の貸出数及び予約数に基づいて、ＰＯＰ格納ＤＢ２０Ｈに格納されたＰＯＰ広告又はＰＯＰ広告の構成要素について評価値を算出する。ＰＯＰ広告の構成要素とは、例えば、ＰＯＰ広告を構成する文章（テンプレート文）を意味する。また、この評価値は、上述したように、ＰＯＰ広告を予め定めた掲載期間、広告として掲載し、広告効果が高いと評価されたものほど高い値が付与される。
【００８７】
ここで、評価値をＦとした場合、一例として、下記の式１により算出される。なお、Ｘ１は、図書のＰＯＰ広告を掲載した掲載期間に図書が貸し出された貸出数を示す。Ｘ２は、図書のＰＯＰ広告を掲載していない非掲載期間に図書が貸し出された貸出数を示す。Ｙ１は、図書のＰＯＰ広告を掲載した掲載期間に図書が予約された予約数を示す。Ｙ２は、図書のＰＯＰ広告を掲載していない非掲載期間に図書が予約された予約数を示す。
【００８８】
Ｆ＝（Ｘ１／Ｘ２＋Ｙ１／Ｙ２）／２  …（１）
【００８９】
但し、貸出及び予約共に、掲載期間と非掲載期間とは同一の期間である。Ｘ２及びＹ２の各々が０（ゼロ）の場合、０除算を防止するため、各々を１とみなす。また、評価値Ｆは、上記式１の変形として以下の式２〜式４のいずれかの式により算出してもよい。
【００９０】
Ｆ＝Ｘ１／Ｘ２＋Ｙ１／Ｙ２  …（２）
Ｆ＝Ｘ１／Ｘ２              …（３）
Ｆ＝Ｙ１／Ｙ２              …（４）
【００９１】
すなわち、記憶部２０のＰＯＰ格納ＤＢ２０Ｈには、ＰＯＰ広告の掲載タイミングを示す情報が記憶される。掲載タイミングを示す情報としては、ＰＯＰ広告を掲載した日及び時の少なくとも一方の情報とされる。この掲載タイミングの前と後で図書の貸出又は予約の変化（この例では、貸出数又は予約数の変化）に応じて、ＰＯＰ広告についての評価値Ｆが算出される。なお、掲載タイミングを示す情報の代わりに、ＰＯＰ広告の印刷タイミングを示す情報を用いてもよい。この場合、ＰＯＰ格納ＤＢ２０Ｈには、ＰＯＰ広告の印刷タイミングを示す情報が記憶される。
【００９２】
抽出部１７は、ある図書に関する新たなＰＯＰ広告の作成に際して参照するＰＯＰ広告又は参照するＰＯＰ広告の文章を、評価値に基づいて記憶部２０から抽出する。参照するＰＯＰ広告又は参照するＰＯＰ広告の文章は、ある図書の内容紹介又は説明情報から抽出したキーワードに対応する属性に対応付けられて記憶部２０に記憶されているＰＯＰ広告又はＰＯＰ広告の文章の中から抽出される。なお、図書の内容紹介又は説明情報は、図書システム３０から取得される。ここでいう説明情報とは、一例として、図書の内容を説明するためのあらすじ等である。また、キーワードに対応する属性とは、一例として、上述の図２に示すように、著者名、ジャンル、アーティスト名、人名、動詞、あるいは、その他の単語として表される。
【００９３】
なお、図書システム３０から取得される図書の内容紹介又は説明情報に含まれる主な単語には、単語が持つ属性を示す情報を予め付与しておくことが望ましい。例えば、属性が著者名である場合、「／著」を単語に付与しておく。属性がジャンル、アーティスト名、及び人名の場合も、同様に、「／ジャンル」、「／アーティスト名」、及び「／人名」を単語に付与しておく。一方、属性が動詞である場合、図書の内容紹介又は説明情報を形態素解析することによって、動詞を属性として持つ単語が特定される。
【００９４】
表示部２２には、抽出部１７により抽出されたＰＯＰ広告又はＰＯＰ広告の文章が表示される。ここでは、ＰＯＰ広告の文章として、例えば、図１７に示す文章選択画面６４が表示部２２に表示される。特定部１９は、表示部２２に表示されている文章選択画面６４から、作業担当者により選択されたＰＯＰ広告の文章を編集処理対象として特定する。
【００９５】
更に、表示部２２には、編集処理対象としてＰＯＰ広告の文章が特定された場合に、図１９に示すレイアウト選択画面６６が表示される。これにより、作業担当者からのレイアウトの選択を受け付ける。そして、特定部１９は、レイアウト選択画面６６から選択されたレイアウトに従って、図２０に示すように、ＰＯＰ広告の文章を配置したＰＯＰ広告編集画面６７を生成し、生成したＰＯＰ広告編集画面６７を表示部２２に表示させる。
【００９６】
ここで、図２１の例において、販売ＤＢ３０Ｃを使用する場合について説明する。
この場合、取得部１３は、販売ＤＢ３０Ｃから図書の販売に関する販売情報を取得する。図書の販売に関する販売情報とは、当該図書のＰＯＰ広告を掲載する前後の期間の各々における図書の販売数を示す情報である。
【００９７】
つまり、取得部１３は、販売ＤＢ３０Ｃから、図書のＰＯＰ広告を掲載した掲載期間に図書が販売された販売数と、図書のＰＯＰ広告を掲載していない非掲載期間に図書が販売された販売数と、を取得する。なお、ＰＯＰ広告の掲載期間は、ＰＯＰ格納ＤＢ２０Ｈに記憶されている。また、掲載期間と非掲載期間とは同一の期間とされる。
【００９８】
算出部１５は、取得した販売情報、すなわち、ＰＯＰ広告を掲載する前後の期間の各々における図書の販売数に基づいて、ＰＯＰ格納ＤＢ２０Ｈに格納されたＰＯＰ広告又はＰＯＰ広告の構成要素について評価値を算出する。評価値の算出方法としては、例えば、上述の式３において、Ｘ１を、図書のＰＯＰ広告を掲載した掲載期間に図書が販売された販売数とし、Ｘ２を、図書のＰＯＰ広告を掲載していない非掲載期間に図書が販売された販売数とすればよい。
【００９９】
図２５は、本第２の実施形態に係る広告作成支援装置１０Ｂとして機能するコンピュータ４０Ｂの構成の一例を示すブロック図である。
【０１００】
広告作成支援装置１０Ｂは、例えば、図２５に示すコンピュータ４０Ｂで実現することができる。コンピュータ４０Ｂは、第１の実施形態に示すコンピュータ４０Ａと同様に、ＣＰＵ４１、メモリ４２、記憶部４３、入出力装置４４、Ｒ／Ｗ部４５、及び通信Ｉ／Ｆ４６がバス４７を介して接続される。
【０１０１】
記憶部４３は、上述の図２１に示す記憶部２０に相当し、ＨＤＤ、ＳＳＤ、フラッシュメモリ等によって実現できる。記憶媒体としての記憶部４３には、コンピュータ４０Ｂを広告作成支援装置１０Ｂとして機能させるための広告作成支援プログラム５０Ｂが記憶される。
【０１０２】
広告作成支援プログラム５０Ｂは、取得プロセス５３と、算出プロセス５５と、抽出プロセス５７と、特定プロセス５９とを有する。
【０１０３】
ＣＰＵ４１は、広告作成支援プログラム５０Ｂを記憶部４３から読み出してメモリ４２に展開し、広告作成支援プログラム５０Ｂが有するプロセスを順次実行する。ＣＰＵ４１は、取得プロセス５３を実行することで、図２１に示す取得部１３として動作する。また、ＣＰＵ４１は、算出プロセス５５を実行することで、図２１に示す算出部１５として動作する。また、ＣＰＵ４１は、抽出プロセス５７を実行することで、図２１に示す抽出部１７として動作する。また、ＣＰＵ４１は、特定プロセス５９を実行することで、図２１に示す特定部１９として動作する。これにより、広告作成支援プログラム５０Ｂを実行したコンピュータ４０Ｂが、広告作成支援装置１０Ｂとして機能することになる。なお、コンピュータ４０Ｂが広告作成支援プログラム５０Ｂを実行することにより機能する部分は、広告作成支援装置１０Ｂに相当する。この例の場合、広告作成支援プログラム５０Ｂを実行するＣＰＵ４１は、ハードウェアである。
【０１０４】
なお、広告作成支援プログラム５０Ｂにより実現される機能は、第１の実施形態に示す広告作成支援プログラム５０Ａと同様に、例えば、半導体集積回路、より詳しくは、ＡＳＩＣ等で実現することも可能である。
【０１０５】
次に、図２６及び図２７を参照して、本第２の実施形態に係る広告作成支援装置１０Ｂの作用を説明する。なお、図２６は、本第２の実施形態に係る広告作成支援プログラム５０Ｂの処理の流れの一例を示すフローチャートである。また、図２７は、本第２の実施形態に係る広告作成支援装置１０Ｂによる処理の流れの一例を示す模式図である。
【０１０６】
まず、図２６のステップ２００では、取得部１３が、図２７に示すように、図書システム３０（貸出ＤＢ３０Ａ及び予約ＤＢ３０Ｂ）から、図書館の図書に関する利用情報を取得する。図書に関する利用情報としては、例えば、ＰＯＰ広告を掲載する前後の期間の各々における図書館の入館者数、図書の貸出数、及び図書の予約数等が含まれる。
【０１０７】
ステップ２０２では、算出部１５が、ステップ２００で取得した図書に関する利用情報に基づいて、図２７に示すように、ＰＯＰ広告を掲載する前後の期間の各々における図書の貸出数及び予約数に基づいて、ＰＯＰ広告の評価値を算出する。この評価値は、一例として、上述の式１を用いて算出される。なお、ＰＯＰ広告を掲載する前後の期間の各々における入館者数が取得されている場合には、取得した入館者数に基づいて、ＰＯＰ広告の評価値を算出してもよい。評価値の算出方法としては、例えば、上述の式３において、Ｘ１を、図書のＰＯＰ広告を掲載した掲載期間における入館者数とし、Ｘ２を、図書のＰＯＰ広告を掲載していない非掲載期間における入館者数とすればよい。なお、異なる複数のＰＯＰ広告が同一期間掲載される場合、入館者数をＰＯＰ広告毎に得ることは困難である。このため、入館者数に基づく評価値は参考情報として利用することが望ましい。
【０１０８】
ステップ２０４では、算出部１５が、ステップ２０２で算出したＰＯＰ広告の評価値が、ＰＯＰ広告全体の評価値の平均のｍ（＞０、一例として１．５）倍以上であるか否かを判定する。なお、ｍは上述の第１閾値に相当する。ＰＯＰ広告の評価値がＰＯＰ広告全体の評価値の平均のｍ倍以上であると判定した場合（肯定判定の場合）、ステップ２０６に移行する。一方、ＰＯＰ広告の評価値がＰＯＰ広告全体の評価値の平均のｍ倍未満であると判定した場合（否定判定の場合）、ステップ２０８に移行する。
【０１０９】
ステップ２０６では、算出部１５が、評価値を算出したＰＯＰ広告を、効果有りのＰＯＰ広告として記憶部２０のＰＯＰ評価ＤＢ２０Ｉに登録し、一連の処理を終了する。
【０１１０】
一方、ステップ２０８では、算出部１５が、ステップ２０２で算出したＰＯＰ広告の評価値が、ＰＯＰ広告全体の評価値の平均のｎ（＜ｍ、一例として０．５）倍以下であるか否かを判定する。なお、ｎは上述の第２閾値に相当する。ＰＯＰ広告の評価値がＰＯＰ広告全体の評価値の平均のｎ倍以下であると判定した場合（肯定判定の場合）、ステップ２１０に移行する。一方、ＰＯＰ広告の評価値がＰＯＰ広告全体の評価値の平均のｎ倍より大きいと判定した場合（否定判定の場合）、一連の処理を終了する。
【０１１１】
ステップ２１０では、算出部１５が、評価値を算出したＰＯＰ広告を、効果無しのＰＯＰ広告として記憶部２０のＰＯＰ評価ＤＢ２０Ｉに登録し、一連の処理を終了する。
【０１１２】
つまり、ＰＯＰ広告の評価値及び広告効果の有無は、当該ＰＯＰ広告に対応付けてＰＯＰ評価ＤＢ２０Ｉに登録される。図２７に示すように、ＰＯＰ評価ＤＢ２０Ｉに登録されたＰＯＰ広告の中で、効果有り、すなわち、広告効果の高いＰＯＰ広告は、次にＰＯＰ広告を生成する際に優先的に選択される。一方、効果無し、すなわち、広告効果の低いＰＯＰ広告は、次から同じ組み合わせにならないようにＮＧパターンとして参照される。
【０１１３】
そして、抽出部１７は、ある図書に関する新たなＰＯＰ広告を作成する際に参照するＰＯＰ広告又はＰＯＰ広告の文章を、上記の評価値に基づいて記憶部２０から抽出する。なお、評価値が比較的高く、効果有りで登録されたＰＯＰ広告だけを優先的に抽出してもよい。
【０１１４】
なお、上記実施形態では、ＰＯＰ広告の評価値を、ＰＯＰ広告を掲載する前後の期間の各々における図書の貸出数及び予約数に基づいて算出したが、これに限定されない。例えば、図書のジャンル毎に、ＰＯＰ広告を掲載する前後の期間の各々における図書の貸出数及び予約数を集計し、この集計結果に基づいてジャンル毎の評価値を算出してもよい。
【０１１５】
以上説明したように、本実施形態に係る広告作成支援装置によれば、図書システムが持つ利用情報によりＰＯＰ広告の評価値を算出することができるため、評価値の高い（広告効果の高い）ＰＯＰ広告の情報を蓄積、利用することができる。これにより、広告効果の高いＰＯＰ広告を簡単に作成することができ、図書の利用数の増加を図り、作業担当者の負担を軽減することができる。
また、多くの図書に対してＰＯＰ広告を掲載することができれば、図書館の利用者と新たな図書との出会いを増加させることが可能となる。そして、多くの図書が利用されるようになれば、図書館が抱える、売れ筋の図書に貸出及び予約が集中してしまうという問題を解消することが可能となる。
【０１１６】
なお、上記各実施形態においては、広告作成支援プログラムが記憶部に予め記憶（インストール）されている態様を説明したが、これに限定されない。プログラムは、ＣＤ−ＲＯＭ、ＤＶＤ−ＲＯＭ、ＵＳＢメモリ等の記憶媒体に記憶された形態で提供することも可能である。
【０１１７】
また、上記各実施形態として広告作成支援装置及び方法を例示して説明した。各実施形態は、広告作成支援装置が備える各部の機能をコンピュータに実行させるためのプログラムの形態としてもよい。各実施形態は、このプログラムを記憶したコンピュータが読み取り可能な記憶媒体の形態としてもよい。
【０１１８】
その他、上記各実施形態で説明した広告作成支援装置の構成は、一例であり、主旨を逸脱しない範囲内において状況に応じて変更してもよい。
【０１１９】
また、上記各実施形態で説明したプログラムの処理の流れも、一例であり、主旨を逸脱しない範囲内において不要なステップを削除したり、新たなステップを追加したり、処理順序を入れ替えたりしてもよい。
【０１２０】
また、上記各実施形態では、プログラムを実行することにより、各実施形態に係る処理がコンピュータを利用してソフトウェア構成により実現される場合について説明したが、これに限らない。各実施形態は、例えば、ハードウェア構成や、ハードウェア構成とソフトウェア構成との組み合わせによって実現してもよい。
【０１２１】
以上の各実施形態に関し、更に以下の付記を開示する。
【０１２２】
（付記１）
商品又はサービスに関する文書データの入力を受け付け、
入力された前記文書データから特徴語を抽出し、
特徴語に対応づけてフレーズを記憶する記憶部を参照して、抽出した前記特徴語に対応するフレーズを特定し、
特定した前記フレーズ、または、特定した前記フレーズのうち特定の部分を前記特徴語に設定したフレーズを出力する、
処理をコンピュータに実行させることを特徴とする広告作成支援プログラム。
【０１２３】
（付記２）
前記記憶部は、フレーズに対応づけてフレーズが適用された広告に対応する商品又はサービスの販売状況、又は、利用状況、又は、予約状況に基づいて算出された評価値を記憶し、
出力される前記フレーズは、対応する評価値に応じた優先順で出力される、
ことを特徴とする付記１記載の広告作成支援プログラム。
【０１２４】
（付記３）
前記記憶部は、文字のフォント、文字のサイズ、文字の色の１又は複数の組み合わせである文字表現情報を更に記憶し、
出力される前記フレーズは、対応づけて記憶された文字表現情報に従って出力される、
ことを特徴とする付記１記載の広告作成支援プログラム。
【０１２５】
（付記４）
前記記憶部は、フレーズの表示レイアウトを更に記憶し、
出力される前記フレーズは、対応づけて記憶された表示レイアウトで出力される、
ことを特徴とする付記１記載の広告作成支援プログラム。
【０１２６】
（付記５）
図書の管理を行う図書システムから図書の貸し出し又は予約に関する利用情報を取得し、
取得した利用情報に基づいて、前記図書に対応づけて記憶部に記憶された広告又は広告の構成要素について評価値を算出し、
ある図書に関する新たな広告の作成に際して参照する広告又は参照する広告の構成要素を、前記評価値に基づいて前記記憶部から抽出する、
処理を実行することを特徴とする広告作成支援プログラム。
【０１２７】
（付記６）
前記参照する広告又は前記参照する広告の構成要素は、前記ある図書の紹介又は説明情報から抽出した特徴語に対応する属性に対応づけられて前記記憶部に記憶された広告又は広告の構成要素の中から抽出される、
ことを特徴とする付記５記載の広告作成支援プログラム。
【０１２８】
（付記７）
前記広告の印刷タイミング、又は、掲載タイミングの情報を記憶し、
前記印刷タイミング又は掲載タイミングの前と後の図書の貸し出し又は予約の変化に応じて、前記広告についての評価値が算出される、
ことを特徴とする付記５記載の広告作成支援プログラム。
【０１２９】
（付記８）
抽出された前記広告又は前記広告の構成要素を表示部に表示させ、
選択された広告又は前記広告の構成要素を編集処理対象として特定する、
ことを特徴とする付記５記載の広告作成支援プログラム。
【０１３０】
（付記９）
編集処理対象として前記広告の構成要素が特定された場合に、レイアウトの選択を受け付け、
選択されたレイアウトで前記広告の構成要素を配置した広告の編集画面を生成する、
ことを特徴とする付記８記載の広告作成支援プログラム。
【０１３１】
（付記１０）
商品又はサービスに関する文書データの入力を受け付ける入力部と、
入力された前記文書データから特徴語を抽出する抽出部と、
特徴語に対応づけてフレーズを記憶する記憶部を参照して、抽出した前記特徴語に対応するフレーズを特定する特定部と、
特定した前記フレーズ、または、特定した前記フレーズのうち特定の部分を前記特徴語に設定したフレーズを出力する出力部と、
を含むことを特徴とする広告作成支援装置。
【０１３２】
（付記１１）
前記記憶部は、フレーズに対応づけてフレーズが適用された広告に対応する商品又はサービスの販売状況、又は、利用状況、又は、予約状況に基づいて算出された評価値を記憶し、
前記出力部は、前記フレーズを、対応する評価値に応じた優先順で出力する、
ことを特徴とする付記１０記載の広告作成支援装置。
【０１３３】
（付記１２）
前記記憶部は、文字のフォント、文字のサイズ、文字の色の１又は複数の組み合わせである文字表現情報を更に記憶し、
前記出力部は、前記フレーズを、対応づけて記憶された文字表現情報に従って出力する、
ことを特徴とする付記１０記載の広告作成支援装置。
【０１３４】
（付記１３）
前記記憶部は、フレーズの表示レイアウトを更に記憶し、
前記出力部は、前記フレーズを、対応づけて記憶された表示レイアウトで出力する、
ことを特徴とする付記１０記載の広告作成支援装置。
【０１３５】
（付記１４）
図書の管理を行う図書システムから図書の貸し出し又は予約に関する利用情報を取得する取得部と、
取得した利用情報に基づいて、前記図書に対応づけて記憶部に記憶された広告又は広告の構成要素について評価値を算出する算出部と、
ある図書に関する新たな広告の作成に際して参照する広告又は参照する広告の構成要素を、前記評価値に基づいて前記記憶部から抽出する抽出部と、
を含むことを特徴とする広告作成支援装置。
【０１３６】
（付記１５）
前記抽出部は、前記参照する広告又は前記参照する広告の構成要素を、前記ある図書の紹介又は説明情報から抽出した特徴語に対応する属性に対応づけられて前記記憶部に記憶された広告又は広告の構成要素の中から抽出する、
ことを特徴とする付記１４記載の広告作成支援装置。
【０１３７】
（付記１６）
前記記憶部は、前記広告の印刷タイミング、又は、掲載タイミングの情報を記憶し、
前記算出部は、前記印刷タイミング又は掲載タイミングの前と後の図書の貸し出し又は予約の変化に応じて、前記広告についての評価値を算出する、
ことを特徴とする付記１４記載の広告作成支援装置。
【０１３８】
（付記１７）
商品又はサービスに関する文書データの入力を受け付け、
入力された前記文書データから特徴語を抽出し、
特徴語に対応づけてフレーズを記憶する記憶部を参照して、抽出した前記特徴語に対応するフレーズを特定し、
特定した前記フレーズ、または、特定した前記フレーズのうち特定の部分を前記特徴語に設定したフレーズを出力する、
処理をコンピュータに実行させることを特徴とする広告作成支援方法。
【０１３９】
（付記１８）
図書の管理を行う図書システムから図書の貸し出し又は予約に関する利用情報を取得し、
取得した利用情報に基づいて、前記図書に対応づけて記憶部に記憶された広告又は広告の構成要素について評価値を算出し、
ある図書に関する新たな広告の作成に際して参照する広告又は参照する広告の構成要素を、前記評価値に基づいて前記記憶部から抽出する、
処理を実行することを特徴とする広告作成支援方法。
【０１４０】
（付記１９）
商品又はサービスに関する文書データの入力を受け付け、
入力された前記文書データから特徴語を抽出し、
特徴語に対応づけてフレーズを記憶する記憶部を参照して、抽出した前記特徴語に対応するフレーズを特定し、
特定した前記フレーズ、または、特定した前記フレーズのうち特定の部分を前記特徴語に設定したフレーズを出力する、
処理をコンピュータに実行させることを特徴とする広告作成支援プログラムを記憶した記憶媒体。
【０１４１】
（付記２０）
図書の管理を行う図書システムから図書の貸し出し又は予約に関する利用情報を取得し、
取得した利用情報に基づいて、前記図書に対応づけて記憶部に記憶された広告又は広告の構成要素について評価値を算出し、
ある図書に関する新たな広告の作成に際して参照する広告又は参照する広告の構成要素を、前記評価値に基づいて前記記憶部から抽出する、
処理を実行することを特徴とする広告作成支援プログラムを記憶した記憶媒体。
【符号の説明】
【０１４２】
１０Ａ、１０Ｂ       広告作成支援装置
１２   入力部
１３   取得部
１４、１７    抽出部
１５   算出部
１６、１９    特定部
１８   出力部
２０   記憶部
２０Ａ テンプレート文ＤＢ
２０Ｂ 文章ＤＢ
２０Ｃ フォントＤＢ
２０Ｄ 文字色ＤＢ
２０Ｅ 枠形ＤＢ
２０Ｆ 画像ＤＢ
２０Ｇ レイアウト部品ＤＢ
２０Ｈ ＰＯＰ格納ＤＢ
２０Ｉ ＰＯＰ評価ＤＢ
２２   表示部
３０   図書システム
３０Ａ 貸出ＤＢ
３０Ｂ 予約ＤＢ
３０Ｃ 販売ＤＢ
４０Ａ、４０Ｂコンピュータ
４１   ＣＰＵ
４２   メモリ
４３   記憶部
４４   入出力装置
４５   Ｒ／Ｗ部
４６   通信Ｉ／Ｆ
４７   バス
４８   記憶媒体
５０Ａ、５０Ｂ広告作成支援プログラム
５２   入力プロセス
５３   取得プロセス
５４、５７    抽出プロセス
５５   算出プロセス
５６、５９    特定プロセス
５８   出力プロセス
６０   図書選択画面
６１   内容紹介
６２   キーワード群
６３   テンプレート文群
６４   文章選択画面
６４Ａ、６６Ａコーション
６６   レイアウト選択画面
６７   ＰＯＰ広告編集画面
６７Ａ〜６７Ｄ第１〜第４部品
【図１】
2018120286.tif 000003
【図２】
2018120286.tif 000004
【図３】
2018120286.tif 000005
【図４】
2018120286.tif 000006
【図５】
2018120286.tif 000007
【図６】
2018120286.tif 000008
【図７】
2018120286.tif 000009
【図８】
2018120286.tif 000010
【図９】
2018120286.tif 000011
【図１０】
2018120286.tif 000012
【図１１】
2018120286.tif 000013
【図１２】
2018120286.tif 000014
【図１３】
2018120286.tif 000015
【図１４】
2018120286.tif 000016
【図１５】
2018120286.tif 000017
【図１６】
2018120286.tif 000018
【図１７】
2018120286.tif 000019
【図１８】
2018120286.tif 000020
【図１９】
2018120286.tif 000021
【図２０】
2018120286.tif 000022
【図２１】
2018120286.tif 000023
【図２２】
2018120286.tif 000024
【図２３】
2018120286.tif 000025
【図２４】
2018120286.tif 000026
【図２５】
2018120286.tif 000027
【図２６】
2018120286.tif 000028
【図２７】
2018120286.tif 000029